(57)【要約】【課題】水平方向に到来するレーダ波に対するＲＣＳが小さく、かつ手動で簡単に膨張式救命いかだを海面上に投下し膨張させることができる膨張式救命いかだ投下装置を提供する。【解決手段】中空円筒形のコンテナ１を上部に載せかつその自重によりコンテナ１が海側に転動可能な第１傾斜面１１を有する格納架台１０と、格納架台に水平軸２６を中心に閉鎖位置から投下位置まで自重により揺動可能に取り付けられた架台蓋２０と、架台蓋を閉鎖位置に固定しかつ手動で固定を解除可能な手動離脱装置３０とを備える。架台蓋２０は、閉鎖位置において水平方向外方から到来するレーダ波を下方又は上方に向けて反射するＲＣＳ低減板２２と、投下位置において第１傾斜面１１の海側に連続して位置しコンテナ１が海側に転動可能な第２傾斜面２３とを有する。【選択図】図１
2011116181.tif 000002
【特許請求の範囲】
【請求項１】
中空円筒形のコンテナに収容された膨張式救命いかだを船舶に搭載し、手動でコンテナごと海面上に投下し、海面上で膨張させる膨張式救命いかだ投下装置であって、
前記船舶の外板又は外板付のフラットに固定され、前記コンテナを上部に載せかつその自重により前記コンテナが海側に転動可能な第１傾斜面を有する格納架台と、
前記格納架台に水平軸を中心に閉鎖位置から投下位置まで、自重により揺動可能に取り付けられた架台蓋と、
前記架台蓋を前記閉鎖位置に固定しかつ手動で固定を解除可能な手動離脱装置とを備え、
前記架台蓋は、前記閉鎖位置において前記コンテナ及び格納架台に向けて水平方向外方から到来するレーダ波を下方又は上方に向けて反射するＲＣＳ低減板と、
前記投下位置において前記第１傾斜面の海側に連続して位置し前記コンテナが海側に転動可能な第２傾斜面とを有する、ことを特徴とする膨張式救命いかだ投下装置。
【請求項２】
前記手動離脱装置は、一端が前記架台蓋に連結され船側に延びる固定部材と、該固定部材に隙間を持って貫通し固定部材の投下位置への揺動を阻止する固定ピンと、該固定ピンを前記固定部材から手動で引き抜き可能な手動作動機構とからなる、ことを特徴とする請求項１に記載の膨張式救命いかだ投下装置。
【請求項３】
一端が格納架台に固定され、前記コンテナの周方向に沿って延び、他端部に前記固定ピンが隙間を持って貫通しコンテナを格納位置に固縛する固縛ワイヤロープを備える、ことを特徴とする請求項２に記載の膨張式救命いかだ投下装置。
【請求項４】
水没時に前記固縛ワイヤロープを格納架台から自動で離脱させる自動離脱装置を備える、ことを特徴とする請求項３に記載の膨張式救命いかだ投下装置。
【発明の詳細な説明】
【技術分野】
【０００１】
本発明は、ＲＣＳ対策用の開閉扉を有する膨張式救命いかだ投下装置に関する。
【背景技術】
【０００２】
ＲＣＳ（Ｒａｄａｒ  Ｃｒｏｓｓ  Ｓｅｃｔｉｏｎ：レーダ反射断面積）とは、船舶等のレーダ目標が、どの程度レーダ波を反射するかの指標である。
また、「膨張式救命いかだ」は、中空円筒形のコンテナに収容された状態で船舶に搭載され、船舶の沈没等の緊急時にコンテナごと海面上に投下し、海面上で膨張させるようになった救命用のいかだである。
【０００３】
従来の膨張式救命いかだ投下装置として、特許文献１〜３が既に開示されている。
【先行技術文献】
【特許文献】
【０００４】
【特許文献１】特開平５−６９２号公報、「膨張式救命いかだの投下装置」
【特許文献２】特開２００２−１２７９８７号公報、「膨張式救命いかだの積付け及び投下装置」
【特許文献３】特開２００２−２６４８９２号公報、「膨張式救命いかだの積付け及び投下装置」
【発明の概要】
【発明が解決しようとする課題】
【０００５】
上述した従来の膨張式救命いかだ投下装置は、例えば船舶の甲板上に設置され、膨張式救命いかだ、搭載装置、及び搭載装置後方の構造物が、外部に対し露出していた。
そのため、艦船等に従来の装置を搭載した場合、水平方向に到来するレーダ波に対するＲＣＳ（レーダ反射断面積）が大きく、水平方向に到来するレーダ電波を多方向に反射してしまい、この装置を搭載した艦船等が発見される可能性が高い問題点があった。
【０００６】
また、ＲＣＳが小さいカバー又は扉を、従来の装置に付設した場合、緊急時に手動で作動させることが困難になる問題点があった。
すなわち、膨張式救命いかだ投下装置は、船舶の沈没等の緊急時に手動で簡単に膨張式救命いかだをコンテナごと海面上に投下し、海面上で膨張させる必要がある。
【０００７】
本発明は、上述した問題点を解決するために創案されたものである。
すなわち、本発明の目的は、水平方向に到来するレーダ波に対するＲＣＳ（レーダ反射断面積）が小さく、かつ手動で簡単に膨張式救命いかだをコンテナごと海面上に投下し、海面上で膨張させることができる膨張式救命いかだ投下装置を提供することにある。
【課題を解決するための手段】
【０００８】
本発明によれば、中空円筒形のコンテナに収容された膨張式救命いかだを船舶に搭載し、手動でコンテナごと海面上に投下し、海面上で膨張させる膨張式救命いかだ投下装置であって、
前記船舶の外板又は外板付のフラットに固定され、前記コンテナを上部に載せかつその自重により前記コンテナが海側に転動可能な第１傾斜面を有する格納架台と、
前記格納架台に水平軸を中心に閉鎖位置から投下位置まで、自重により揺動可能に取り付けられた架台蓋と、
前記架台蓋を前記閉鎖位置に固定しかつ手動で固定を解除可能な手動離脱装置とを備え、
前記架台蓋は、前記閉鎖位置において前記コンテナ及び格納架台に向けて水平方向外方から到来するレーダ波を下方又は上方に向けて反射するＲＣＳ低減板と、
前記投下位置において前記第１傾斜面の海側に連続して位置し前記コンテナが海側に転動可能な第２傾斜面とを有する、ことを特徴とする膨張式救命いかだ投下装置が提供される。
【０００９】
本発明の実施形態によれば、前記手動離脱装置は、一端が前記架台蓋に連結され船側に延びる固定部材と、該固定部材に隙間を持って貫通し固定部材の投下位置への揺動を阻止する固定ピンと、該固定ピンを前記固定部材から手動で引き抜き可能な手動作動機構とからなる。
【００１０】
また、一端が格納架台に固定され、前記コンテナの周方向に沿って延び、他端部に前記固定ピンが隙間を持って貫通しコンテナを格納位置に固縛する固縛ワイヤロープを備える、ことが好ましい。
【００１１】
また、水没時に前記固縛ワイヤロープを格納架台から自動で離脱させる自動離脱装置を備える、ことが好ましい。
【発明の効果】
【００１２】
上記本発明の構成によれば、閉鎖位置において、架台蓋のＲＣＳ低減板によりコンテナ及び格納架台に向けて水平方向外方から到来するレーダ波を下方又は上方に向けて反射するので、水平方向に到来するレーダ波に対するＲＣＳ（レーダ反射断面積）を小さくできる。
【００１３】
また、架台蓋が格納架台に水平軸を中心に閉鎖位置から投下位置まで、自重により揺動可能に取り付けられているので、手動離脱装置により架台蓋の固定を手動で解除することにより、架台蓋を閉鎖位置から投下位置まで自重により揺動させることができる。
【００１４】
さらに、格納架台が中空円筒形のコンテナを上部に載せかつその自重によりコンテナが海側に転動可能な第１傾斜面を有し、投下位置において架台蓋が第１傾斜面の海側に連続して位置しコンテナが海側に転動可能な第２傾斜面を有するので、手動離脱装置により、架台蓋を手動で開放することにより、コンテナが第１傾斜面と第２傾斜面を自重で転動して海面上に落下するので、緊急時に手動で簡単に膨張式救命いかだをコンテナごと海面上に投下し、海面上で膨張させることができる。
【図面の簡単な説明】
【００１５】
【図１】本発明による膨張式救命いかだ投下装置の第１実施形態図である。
【図２】本発明による膨張式救命いかだ投下装置の第２実施形態図である。
【発明を実施するための形態】
【００１６】
以下、本発明の好ましい実施形態を添付図面に基づいて詳細に説明する。なお、各図において共通する部分には同一の符号を付し、重複した説明を省略する。
【００１７】
図１は、本発明による膨張式救命いかだ投下装置の第１実施形態図である。
本発明の膨張式救命いかだ投下装置は、中空円筒形のコンテナ１に収容された膨張式救命いかだを船舶に搭載し、緊急時に手動でコンテナ１ごと海面上に投下し、海面上で膨張させる装置である。
船舶は、例えば艦船である。またコンテナ１の大きさは、例えば直径約７４０ｍｍ、長さ約１２５０ｍｍであるが、本発明はこれに限定させず、中空円筒形である限り、その他の大きさであってもよい。
【００１８】
図１において、本発明の膨張式救命いかだ投下装置は、格納架台１０、架台蓋２０及び手動離脱装置３０を備える。
【００１９】
格納架台１０は、この例では船舶の外板２に固定されている。船舶が全通甲板の場合、航空機が離着陸する甲板３より上方に突起物がないように、格納架台１０は、船舶の外板２から海側（図で右側）に張り出して取り付けるのがよい。
【００２０】
この例で、格納架台１０は、細長い部材１２，１３，１４，１５からなる。部材１３、１４は水平部材であり、それぞれ左端は船舶の外板２に固定されている。また、部材１５は鉛直部材であり、水平部材１３，１４を連結する。部材１２は傾斜部材であり、鉛直部材１５と水平部材１４に連結されている。
さらに、この例で、部材１２，１３，１４，１５は、２組設けられ、それぞれ紙面に垂直方向に間隔を隔てて位置し、連結部材１６，１７により互いに連結されている。この間隔は、中空円筒形のコンテナ１の長さより短く、コンテナ１を２点で支持するようになっている。
【００２１】
また、傾斜部材１２は、コンテナ１を上部に載せ、かつコンテナ１の自重によりコンテナ１が海側（図で右側）に転動可能な第１傾斜面１１を有する。第１傾斜面１１の角度は、自重で転動できる限りで任意であるが、例えば水平に対して５〜７０度であるのがよい。
【００２２】
架台蓋２０は、格納架台１０に水平軸２６を中心に閉鎖位置（図に実線で示す）から投下位置（図に２点鎖線で示す）まで、自重により揺動可能に取り付けられている。水平軸２６は、架台蓋２０の重心より船側に位置する。
【００２３】
また、架台蓋２０は、ＲＣＳ低減板２２、蓋支持部材２４及びストッパ２７を有する。
【００２４】
ＲＣＳ低減板２２は、閉鎖位置においてコンテナ１及び格納架台１０の水平方向外面全体を覆う面積及び形状を有する。この形状は矩形の平板であるのが好ましいが、その他の形状であってもよい。また、ＲＣＳ低減板２２の外面は、閉鎖位置において、この例ではコンテナ及び格納架台に向けて水平方向外方から到来するレーダ波を下方に向けて反射するように、鉛直に対して上側が海側傾斜している。この傾斜角度は、５〜３０度であるのがよい。なお、レーダ波を上方に向けて反射するように設定してもよい。
ＲＣＳ低減板２２の外面形状は、この例では平面であるが、上述した機能を満たす限りで、他の形状であってもよい。
【００２５】
蓋支持部材２４は、ＲＣＳ低減板２２の船側（図で左側）に取り付けられ、閉鎖位置においてコンテナ１が海側に転がるのを阻止する形状になっている。また、この蓋支持部材２４は、投下位置（図に２点鎖線で示す）において第１傾斜面１１の海側に連続して位置し、コンテナ１が海側に転動可能な第２傾斜面２３を有する。
第２傾斜面２３の角度は、第１傾斜面１１の角度と同一であるのが好ましいが、コンテナ１が海側に転動できる限りで相違してもよい。また、第２傾斜面２３の海側端部の位置は、コンテナ１が第１傾斜面１１と第２傾斜面２３を自重で転動して海面上に落下するように設定する。
【００２６】
ストッパ２７は、蓋支持部材２４の一部（この例では下端）に設けられ、投下位置（図に２点鎖線で示す）において、架台蓋２０の揺動位置を、第２傾斜面２３が第１傾斜面１１の海側に連続して位置するように位置決めする機能を有する。この場合、第１傾斜面１１と第２傾斜面２３は同一平面を形成するのがよい。
【００２７】
手動離脱装置３０は、架台蓋２０を閉鎖位置に固定し、かつ手動でこの固定を開放可能な装置である。この例において、手動離脱装置３０は、固定部材３１、固定ピン３２及び手動作動機構３３からなる。
固定部材３１は、一端（図で上端）が架台蓋２０の蓋支持部材２４にピンで連結され、船側（図で左下方向）に延びる。また固定部材３１の他端（図で下端）には固定ピン３２を隙間を持って通す孔（図示せず）が設けられている。この孔は、固定部材３１の他端に取り付けられたリング部材の孔であってもよい。
固定ピン３２は、細長い棒状部材であり、その先端（図で右端）が固定部材３１の他端部の孔に隙間を持って貫通し、固定部材３１の投下位置への揺動を阻止するようになっている。
【００２８】
手動作動機構３３は、この例では固定ピン３２の末端（図で左端）に連結され、中間部が水平軸を中心に揺動する手動レバーであり、固定ピン３２を固定部材３１から手動で引き抜くことができるようになっている。
なお、手動作動機構３３はこの例では、手動レバー又はリンク機構に限定されず、その他の機構であってもよい。
また、図で３４は、手動レバー３３を閉鎖位置に固定する固定装置であり、簡単な機構（例えばピン）により、手動でこの固定を解除し、手動レバー３３を閉鎖位置から投下位置に揺動できるようになっている。
【００２９】
また、この例で手動作動機構３３は、更に、固縛ワイヤロープ３５を備える。この固縛ワイヤロープ３５は、その一端（図で左端）が格納架台１０の連結部材１７に固定され、コンテナ１の周方向に沿って延びる。また、固縛ワイヤロープ３５の他端部（図で右端部）に上述した固定ピン３２の先端部が隙間を持って貫通し、コンテナ１を格納位置に固縛するようになっている。
【００３０】
この構成により、閉鎖位置において、固定ピン３２の先端部が固定部材３１の他端部と固縛ワイヤロープ３５の他端部を貫通して、固定部材３１と固縛ワイヤロープ３５を固定しているので、架台蓋２０とコンテナ１を閉鎖位置に固定することができる。
また、手動作動機構３３により固定ピン３２を固定部材３１及び固縛ワイヤロープ３５から手動で引き抜くと、架台蓋２０が、閉鎖位置から投下位置まで自重で揺動するので、コンテナ１が第１傾斜面１１と第２傾斜面２３を自重で転動して海面上に落下させることができる。
【００３１】
また、本発明の膨張式救命いかだ投下装置は、さらに自動離脱装置４０を備える。自動離脱装置４０は、固縛ワイヤロープ３５の中間部又は一端部に設けられ、水没時に水圧を感知して、固縛ワイヤロープ３５を格納架台から自動で離脱させるようになっている。
【００３２】
図２は、本発明による膨張式救命いかだ投下装置の第２実施形態図である。
この例において、格納架台１０は、船舶の外板付のフラット４に固定されている。
また、この例において、格納架台１０は、細長い部材１２，１４，１５ａ，１５ｂからなる。部材１５ａ，１５ｂは鉛直部材であり、それぞれ下端は船舶の外板付のフラット３に固定されている。部材１４は水平部材であり、鉛直部材１５ａ，１５ｂを連結する。部材１２は傾斜部材であり、鉛直部材１５ａと水平部材１４に連結されている。
さらに、この例で、架台蓋２０のＲＣＳ低減板２２の上部が蝶番により外方に折れ曲がるようになっている。また、この例で固縛ワイヤロープ３５は、ＲＣＳ低減板２２の上部をコンテナ１と共に格納位置に固縛するようになっている。
その他の構成は、図１の第１実施形態と同様である。
【００３３】
上述した本発明の構成によれば、閉鎖位置において、架台蓋２０のＲＣＳ低減板２２によりコンテナ１及び格納架台１０に向けて水平方向外方から到来するレーダ波を下方又は上方に向けて反射するので、水平方向に到来するレーダ波に対するＲＣＳ（レーダ反射断面積）を小さくできる。
【００３４】
また、架台蓋２０が格納架台１０に水平軸２６を中心に閉鎖位置から投下位置まで、自重により揺動可能に取り付けられているので、手動離脱装置３０により架台蓋２０の固定を手動で解除することにより、架台蓋２０を閉鎖位置から投下位置まで自重により揺動させることができる。
【００３５】
さらに、格納架台１０が中空円筒形のコンテナ１を上部に載せかつその自重によりコンテナ１が海側に転動可能な第１傾斜面１１を有し、投下位置において架台蓋１０が第１傾斜面１１の海側に連続して位置しコンテナ１が海側に転動可能な第２傾斜面２３を有するので、手動離脱装置３０により、架台蓋２０を手動で開放することにより、コンテナ１が第１傾斜面１１と第２傾斜面２３を自重で転動して海面上に落下するので、緊急時に手動で簡単に膨張式救命いかだをコンテナごと海面上に投下し、海面上で膨張させることができる。
【００３６】
さらに、上述した固縛ワイヤロープ３５を備えることにより、手動離脱装置３０により、架台蓋２０を手動で開放することにより、同時に固縛ワイヤロープ３５を開放することができる。
また、上述した自動離脱装置４０を備えることにより、手動離脱装置３０を操作しない場合でも、水没時に水圧を感知して、固縛ワイヤロープ３５を格納架台から自動で離脱させることができる。
【００３７】
なお、本発明は上述した実施形態に限定されず、特許請求の範囲の記載によって示され、さらに特許請求の範囲の記載と均等の意味および範囲内でのすべての変更を含むものである。
【符号の説明】
【００３８】
１  コンテナ、２  外板、３  甲板、４  外板付のフラット、
１０  格納架台、１１  第１傾斜面、１２  傾斜部材、
１３、１４  水平部材、１５  鉛直部材、
１５ａ，１５ｂ  鉛直部材、１６，１７  連結部材、
２０  架台蓋、２２  ＲＣＳ低減板、２３  第２傾斜面、
２４  蓋支持部材、２６  水平軸、２７  ストッパ、
３０  手動離脱装置、３１  固定部材、３２  固定ピン、
３３  手動作動機構（手動レバー）、
３５  固縛ワイヤロープ、４０  自動離脱装置
【図１】
2011116181.tif 000003
【図２】
2011116181.tif 000004